(57)【要約】ワイヤロープ探傷装置（１）は、ワイヤロープ（２）の軸方向に主磁路を形成する磁化器（１０）とワイヤロープ損傷部が発生する漏洩磁束を検出する磁気センサ（１１）とを備えるベースユニット（２０）と、ワイヤロープ（２）の外周に沿うようにＵ字形状に形成されたガイド部材（２２）とガイドプレート（２１）とを備えたガイドユニット（３０）とから構成され、ガイドユニット（３０）はベースユニット（２０）に固定されている。
2016174703.tif 000002
【特許請求の範囲】
【請求項１】
ワイヤロープの軸方向に主磁路を形成する磁化器と、前記磁化器によって磁化されるワイヤロープ損傷部が発生する漏洩磁束を検出する磁気センサを備えるベースユニットと、
前記ワイヤロープに対向する側において、前記ワイヤロープの外周に沿うようにＵ字形状に形成されたガイド部材とガイドプレートとを備え、前記ガイドプレートは前記磁化器および前記磁気センサの上部に配置され、前記ガイド部材は前記ガイドプレートのワイヤロープ軸方向の両外側に配置されて、前記ガイド部材は前記ガイドプレートに固定されているガイドユニットと、から構成され、
前記ガイドユニットは前記ベースユニットに固定手段で固定されているワイヤロープ探傷装置。
【請求項２】
前記ガイド部材のＵ字形状部は前記ガイドプレートの板厚より厚い部材で形成されている請求項１に記載のワイヤロープ探傷装置。
【請求項３】
前記ガイド部材のワイヤロープ軸方向端部の内側面がワイヤロープ径方向外側に向けて広がるように形成されている請求項１または請求項２に記載のワイヤロープ探傷装置。
【請求項４】
前記ガイドユニットと前記ベースユニットとの固定部に位置決めピンと位置決め穴とを設けた請求項１から請求項３のいずれか１項に記載のワイヤロープ探傷装置。
【請求項５】
前記ガイドユニットと前記ベースユニットとの固定部に凹部と凸部とを設けて、嵌め込む構造とした請求項１から請求項３のいずれか１項に記載のワイヤロープ探傷装置。
【請求項６】
前記ベースユニットは、前記磁化器および前記磁気センサを備える主回路部と、前記主回路部の前記ワイヤロープの軸方向両側に配置された支柱とから成り、
前記支柱と前記主回路部に凹部と凸部とを設けて、嵌め込む構造とした請求項１から請求項５のいずれか１項に記載のワイヤロープ探傷装置。
【請求項７】
前記ガイドプレートと前記ガイド部材とは接着により固定されている請求項１から請求項６のいずれか１項に記載のワイヤロープ探傷装置。
【請求項８】
前記ガイドプレートと前記ガイド部材とは溶接により固定されている請求項１から請求項６のいずれか１項に記載のワイヤロープ探傷装置。
【請求項９】
前記ガイドプレートと前記ガイド部材とはボルトにより固定されている請求項１から請求項６のいずれか１項に記載のワイヤロープ探傷装置。
【発明の詳細な説明】
【技術分野】
【０００１】
この発明は、エレベータ等の乗りかごを吊り下げるワイヤロープの損傷を検出するワイヤロープ探傷装置に関するものである。
【背景技術】
【０００２】
エレベータ等のワイヤロープの破損および素線の断線を検出するワイヤロープ探傷装置として、ワイヤロープを磁気飽和させたときに損傷部に発生する漏洩磁束を検出コイルで検出する方式のものがある。
漏洩磁束を効率良く補足するため、磁化器と漏洩磁束をワイヤロープの外側に迂回させる磁路材料と検出コイルと備え、ワイヤロープが走行するためのＵ字形状部を有するガイドプレートを備えるワイヤロープ探傷装置が開示されている（例えば、特許文献１）。
また、ワイヤロープの振動を低減させるために、ワイヤロープの外周を３個所で囲むように接触する回転接触部と、この接触部がワイヤロープに密着する力を生じさせる力発生手段を有する位置決め機構を備えるワイヤロープ探傷装置が開示されている（例えば、特許文献２）。
【先行技術文献】
【特許文献】
【０００３】
【特許文献１】国際公開番号ＷＯ２００８／０９３４０９号公報（段落［００１４］、［００１５］、［００１８］、図１、図２）
【特許文献２】特開２０１０−１３３７９７号公報（段落［００１９］〜［００２３］、図１、図２）
【発明の概要】
【発明が解決しようとする課題】
【０００４】
特許文献１開示発明では、使用を続けるとワイヤロープとの擦れによってガイドプレート端部に切り欠きが発生し、ワイヤロープの振動の原因となり、損傷部の検出に支障をきたす問題がある。
また、特許文献２開示発明は、ワイヤロープの振動を低減する機構を備えるが、構造が複雑であるため、この機構が損傷した際には部品の交換に多大な労力を要する問題がある。【０００５】
この発明は、上記のような問題を解決するためになされたものであり、簡素な構成でワイヤロープの振動を抑制でき、消耗部品の交換が容易なワイヤロープ探傷装置を提供することを目的とする。
【課題を解決するための手段】
【０００６】
この発明に係るワイヤロープ探傷装置は、ワイヤロープの軸方向に主磁路を形成する磁化器と、磁化器によって磁化されるワイヤロープ損傷部が発生する漏洩磁束を検出する磁気センサを備えるベースユニットと、ワイヤロープに対向する側において、ワイヤロープの外周に沿うようにＵ字形状に形成されたガイド部材とガイドプレートとを備え、ガイドプレートは磁化器および磁気センサの上部に配置され、ガイド部材はガイドプレートのワイヤロープ軸方向の両外側に配置されて、ガイド部材はガイドプレートに固定されているガイドユニットとから構成され、ガイドユニットはベースユニットに固定手段で固定されているものである。
【発明の効果】
【０００７】
この発明に係るワイヤロープ探傷装置によれば、ガイド部材とガイドプレートはワイヤロープの外周に沿うようにＵ字形状に形成され、ガイドユニットはベースユニットに固定手段で固定されているため、簡素な構成でワイヤロープの振動を抑制でき、消耗部品の交換を容易に行うことができる。
【図面の簡単な説明】
【０００８】
【図１】この発明の実施の形態１のワイヤロープ探傷装置に係る斜視図である。
【図２】この発明の実施の形態１のワイヤロープ探傷装置に係る斜視図である。
【図３】この発明の実施の形態１のワイヤロープ探傷装置に係るガイドユニットの斜視図である。
【図４】この発明の実施の形態１のワイヤロープ探傷装置に係るガイド部材の構造図である。
【図５】この発明の実施の形態１のワイヤロープ探傷装置に係るガイド部材の説明図である。
【図６】この発明の実施の形態１のワイヤロープ探傷装置に係る固定方法の説明図である。
【図７】この発明の実施の形態１のワイヤロープ探傷装置に係るガイド部材と支柱の位置決め構造図である。
【図８】この発明の実施の形態１のワイヤロープ探傷装置に係る説明図である。
【図９】この発明の実施の形態１のワイヤロープ探傷装置に係る説明図である。
【図１０】この発明の実施の形態１のワイヤロープ探傷装置に係る説明図である。
【図１１】この発明の実施の形態１のワイヤロープ探傷装置に係る説明図である。
【図１２】この発明の実施の形態２のワイヤロープ探傷装置に係るガイドユニットの斜視図である。
【図１３】この発明の実施の形態３のワイヤロープ探傷装置に係るガイドユニットの斜視図である。
【発明を実施するための形態】
【０００９】
実施の形態１．
実施の形態１は、ワイヤロープに主磁路を形成する磁化器と、ワイヤロープ損傷部が発生する漏洩磁束を検出する磁気センサを備えるベースユニットと、ワイヤロープの外周に沿うようにＵ字形状に形成されたガイド部材とガイドプレートとを備えるガイドユニットとから構成されたワイヤロープ探傷装置に関するものである。さらに、ガイド部材のＵ字形状部は厚い部材で形成され、内側側面は外側に向かって広がるように形成されており、ガイドユニットはベースユニットにボルトで固定されている。
【００１０】
以下、本願発明の実施の形態１に係るワイヤロープ探傷装置１の構成、機能について、図１〜図１１に基づいて説明する。
【００１１】
図１は、本発明の実施の形態１のワイヤロープ探傷装置１を斜視図であり、検査対象のワイヤロープ２も記載している。図２は、ワイヤロープ探傷装置１の上部のガイドユニット３０を外した状態を示す斜視図である。
図３は、ガイドユニット３０をガイドプレート２１とガイド部材２２に分離した斜視図である。図４、図５は、ガイド部材２２の構造を説明する構造図および断面図である。
図６は、ワイヤロープ探傷装置１の組み立ておよび固定方法を説明する図面である。
図７は、ガイド部材２２の位置決め構造を説明する構造図である。
図８から図１１は、本実施の形態１に係るワイヤロープ探傷装置１の効果を説明するための図であり、参考例のワイヤロープ探傷装置の概略図である。
【００１２】
以下、この発明の実施の形態１を図に基づいて説明する。
まず、図１から図３に基づいて、ワイヤロープ探傷装置１の構成を説明する。
図１において、ワイヤロープ探傷装置１は、ベースユニット２０とガイドユニット３０とから構成され、後で説明するようにガイドユニット３０はベースユニット２０にボルトで固定されている。検査対象のワイヤロープ２は、ガイドユニット３０の上部の略Ｕ字形状部３０ａを走行する。
図２および図３に示すように、ガイドユニット３０は、ガイドプレート２１とガイド部材２２とから構成される。
図２に示すように、ベースユニット２０は、主回路部１５と、支柱１６と、ベースカバー１７とから構成される。主回路部１５は、磁化器１０と、磁気センサ１１と、磁気センサ１１の支持台１２とから構成される。そして、磁化器１０は、バックヨーク３と、永久磁石４ａ、４ｂと、磁極片５ａ、５ｂとから構成される。
【００１３】
次に、ワイヤロープ探傷装置１の各部の機能について説明する。
本実施の形態１のワイヤロープ探傷装置１は、磁化器１０により走行するワイヤロープ２の軸方向所定区間に主磁路を形成すると共に、ワイヤロープ２の破損および素線の断線（以下、ワイヤロープ損傷部と記載する）により発生する漏洩磁束を磁気センサ１１により検出するものである。
【００１４】
磁化器１０は、ワイヤロープ２に主磁路を形成するために、鉄等の強磁性体を材料とするバックヨーク３と、バックヨーク３の両端上に互いにその極性を逆にして配置された一対の励磁用永久磁石４ａ、４ｂと、各永久磁石４ａ、４ｂのバックヨーク３と反対側の磁極面に配置された強磁性体からなる磁極片５ａ、５ｂとを備えている。
磁極片５ａ、５ｂは、その上部がワイヤロープ２の外周に沿うように略Ｕ字形状となっている。
磁化器１０のバックヨーク３の両端にはそれぞれ支柱１６が配置されており、この支柱１６の上部にはガイド部材２２が配置されている。
後で説明するように、支柱１６と主回路部１５のバックヨーク３は互いに嵌め込められて、ボルトで固定される。
ベースカバー１７は、主回路部１５に設けられた磁気センサ１１で検出した信号を処理する信号処理回路部（図示なし）を保護するために設けられている。
【００１５】
次に、ガイドユニット３０について説明する。
ベースユニット２０とガイドユニット３０とが組み立てられた図１の状態では、ガイド部材２２は磁極片５ａ、５ｂのワイヤロープ軸方向外側に配置されている。磁極片５ａ、５ｂと同様にガイド部材２２の上部は、磁極片５ａ、５ｂと同様にワイヤロープ２の外周に沿うように略Ｕ字形状に形成されている。
ガイドプレート２１は、ステンレス等の非磁性材の材料からなり、磁極片５ａ、５ｂの断面Ｕ字形状部に概ね密着するように配置されている。すなわち、ガイドプレート２１は、磁化器１０および磁気センサ１１の上部に配置され、磁極片５ａ、５ｂ、および磁気センサ１１を保護する機能を有する。さらに、ガイドプレート２１は、ワイヤロープ２を円滑に走行させるためのガイド機能を果たす。
なお、図２では、ガイドプレート２１とガイド部材２２の上部にワイヤロープ２の外周に沿うように形成された略Ｕ字形状部を３０ａと総称している。
【００１６】
次に、ガイド部材２２について、図４、図５に基づいて説明する。
図４（ａ）はガイド部材２２の正面図、図４（ｂ）は側面図、および図４（ｃ）は上面図である。図５（ａ）は、ガイドプレート２１との配置関係を説明する図であり、図５（ｂ）は、図５（ａ）のＡ−Ａ断面図であり、支柱１６と固定するための構造を示している。
【００１７】
ガイド部材２２の略Ｕ字形状部の上部２２ｄは、ガイドプレート２１の板厚（ｔ２）よりも厚い部材（厚さｔ１）で形成されている。また、ガイド部材２２のワイヤロープ軸方向端部の内側面２２ｅはワイヤロープ径方向外側に向けて広がるように形成されている。また、ガイド部材２２がワイヤロープ２と接する部分の厚さ（ｔ３）は、ワイヤロープ探傷装置１の全体の大きさを考慮して、所定量（１ｍｍから２ｍｍ）に形成されている。
図４の上面図に示すように、ガイド部材２２はカバー収納用段差２２ａを備えている。カバー収納用段差２２ａの深さは、ガイドプレート２１の厚さよりも僅かに深く設定されている。図５（ａ）に示すように、ガイドプレート２１は、ガイド部材２２のカバー収納用段差２２ａに当接して配置されている。このため、ガイド部材２２はガイドプレート２１よりもワイヤロープ軸方向外側に張り出した状態で配置される。具体的には、図５（ａ）では、ガイド部材２２はガイドプレート２１よりも右側でワイヤロープ軸方向外側に張り出した状態で配置されている。
また、図５（ｂ）に示すように、ガイド部材２２の下部には固定用のボルト穴２２ｂと位置決め穴２２ｃが設けられている。
【００１８】
次に、ワイヤロープ探傷装置１の組立要領、具体的にはベースユニット２０とガイドユニット３０との組立、固定要領を図６に基づいて説明する。
なお、図６では、わかりやすくするため、ベースユニット２０のベースカバー１７と、ガイドユニット３０のガイドプレート２１とを省略している。
【００１９】
ワイヤロープ探傷装置１の組立過程において、ガイドプレート２１とガイド部材２２とは接着により固定されて、ガイドユニット３０を構成する。
図６（ａ）はガイドユニット３０のガイド部材２２とベースユニット２０の支柱１６を外したときの状態を示す正面図である。図６（ｂ）は、図６（ａ）の状態から支柱１６を主回路部１５のバックヨーク３に固定した状態を示す正面図である。
【００２０】
図６に示すように、支柱１６に設けられた凹部１６ａを主回路部１５のバックヨーク３の凸部３ａに嵌め込みボルトで固定する。支柱１６はザグリ加工されているので、ボルトの頭部は直交する別のボルト穴よりもバックヨーク３側に位置している。
次に、ガイドユニット３０のガイド部材２２は、ベースユニット２０の支柱１６に下方からボルトにより固定される。これにより、ガイドユニット３０は、磁化器１０、磁気センサ１１、磁気センサ１１の支持台１２、およびバックヨーク３により構成される主回路部１５と固定される。なお、ガイドユニット３０のガイド部材２２とベースユニット２０の支柱１６は、ガイド部材２２の位置決め穴２２ｃと支柱１６の位置決めピン１６ｃにより位置決めされている。
なお、実施の形態１では、支柱１６に凹部を設けて、主回路部１５のバックヨーク３に凸部を設けているが、支柱１６に凸部を設けて、主回路部１５のバックヨーク３に凹部を設けてもよい。
また、ガイドユニット３０のガイド部材２２に位置決め穴を設けて、ベースユニット２０の支柱１６に位置決めピンを設けたが、ガイド部材２２に位置決めピンを設けて、支柱１６に位置決め穴を設けてもよい。
【００２１】
ベースユニット２０の主回路部１５、支柱１６、およびガイドユニット３０のガイド部材２２を上記説明のように構成しているので、支柱１６と主回路部１５のバックヨーク３を固定しているボルトと、ガイドユニット３０のガイド部材２２とベースユニット２０の支柱１６を固定しているボルトとが、干渉することはない。
また、ベースユニット２０の主回路部１５、支柱１６、およびガイドユニット３０のガイド部材２２を上記のように構成しているので、ガイドユニット３０と、主回路部１５を備えるベースユニット２０とをボルトで固定することが可能となる。このため、ガイド部材２２とガイドプレート２１がワイヤロープ２に対して擦れて摩耗しても、ガイドユニット３０のみをボルトを外して交換すればよい。ガイドユニット３０を消耗部品として、交換することで、ワイヤロープ探傷装置１を短時間で簡単に補修することができる。
なお、実施の形態１では、ガイドユニット３０をベースユニット２０に固定する手段としてボルトを使用して説明したが、ガイドユニット３０をベースユニット２０に容易に固定し、取り外せる手段であれば、ボルトに限定されない。
【００２２】
以上の説明では、図５（ｂ）および図６で示したようにガイドユニット３０のガイド部材２２とベースユニット２０の支柱１６の同軸度の確保には位置決めピンと位置決め穴を用いた。
図７に、実施の形態１に係わるガイドユニット３０のガイド部材２２とベースユニット２０の支柱１６との位置決めに、他の手段を用いた例を示す。
図７に示すように、ガイド部材１２２と支柱１１６には位置決め構造１２２ｄと１１６ｅとが形成されている。具体的には、ガイド部材１２２の下部には凸部１２２ｄが形成され、支柱１１６の上部には凹部１１６ｅが形成されている。この凸部１２２ｄと凹部１１６ｅが隙間なく嵌め合わされることで、ガイド部材１２２と支柱１１６との位置決めがされる。
このように、ガイド部材と支柱の同軸度の確保には位置決めピンを用いずに凹部と凸部による位置決め構造としてもよく、同様にワイヤロープ２の振動を抑制する効果が得られる。
なお、実施の形態１では、ガイドユニットのガイド部材１２２に凸部を設けて、ベースユニットの支柱１１６に凹部を設けているが、ガイド部材１２２に凹部を設けて、支柱１１６に凸部を設けてもよい。
【００２３】
次に、本実施の形態１のワイヤロープ探傷装置１の効果をより明確にするために、参考例のワイヤロープ探傷装置の概要を図８から図１１を用いて説明して、実施の形態１のワイヤロープ探傷装置１と対比する。
なお、参考例のワイヤロープ探傷装置の構造は、本実施の形態１のワイヤロープ探傷装置１の構造とは異なるため、各構成部は直接対応しない。しかし、説明をわかりやすくするために、相当部分の名称を用いる。
【００２４】
図８は参考例のワイヤロープ探傷装置４０１を示す斜視図であり、図９はワイヤロープ探傷装置４０１のガイドプレート４２１を外した状態を示す斜視図である。
参考例のワイヤロープ探傷装置４０１のガイドプレート４２１は、ベースユニット４２０を覆うように配置され、ベースユニット４２０に接着剤により固定されている。ガイドプレート４２１は、ベースユニット４２０よりもワイヤロープ軸方向外側に延在されて形成されている。このため、ワイヤロープとワイヤロープ探傷装置４０１との接触は全てガイドプレート４２１で受ける構造となっている。また、ガイドプレート４２１の端部は、ワイヤロープのストランドが引っ掛かることを避けるためにフレア加工されている。
【００２５】
しかし、ワイヤロープ探傷装置４０１の使用を続けると、ワイヤロープとの摺動によりガイドプレート４２１のワイヤロープ軸方向端部が摩耗し、図１０に示すような切り欠き４５０が形成される。
切り欠き４５０が大きくなると、切り欠き４５０のエッジ部分がワイヤロープのストランドの谷間に食い込む。これが、振動の原因となり、漏洩磁束の検出に悪影響を及ぼす。振動が大きくなると、ワイヤロープと磁気センサの距離が大きくなる瞬間がある。この瞬間は、漏洩磁束が小さくなり、ワイヤロープ損傷部の正常な検出ができなくなる。
【００２６】
また、ガイドプレート４２１がベースユニット４２０と接着剤により固定されているため、損傷したガイドプレート４２１を交換するには、接着剤を剥がす必要があり、多大な労力と時間を要する。
【００２７】
ここで、２つのガイド部材が位置決めされていない場合の問題を図１１で説明する。２つのガイド部材４２２が位置決めされずに組み立てられると、上下方向にズレ量ｇが生じる。２つのガイド部材４２２の同軸度が確保されていない場合、ワイヤロープ探傷装置に対しワイヤロープ２が斜めとなる。このため、ガイド部材４２２のＵ字形状部の端部にワイヤロープ２が強く押し付けられ、振動の原因となる。
【００２８】
以上説明した参考例のワイヤロープ探傷装置の問題点に対する本発明のワイヤロープ探傷装置１の効果を説明する。
ワイヤロープ探傷装置１では、ワイヤロープ２とガイドユニット３０が接触する部分は、ガイド部材２２が端部になるように形成されている。このため、ワイヤロープ２の摺動による摩耗が生じたとしても、ガイドプレート２１に切り欠きが生じない。このため、これによる振動発生が抑制され、より高精度に漏洩磁束の検出が可能となる。
【００２９】
また、ガイド部材２２はカバー収納用段差２２ａを備えており、カバー収納用段差２２ａの深さは、ガイドプレート２１の厚さよりも僅かに深く設定されている。このため、ガイド部材２２とガイドプレート２１の境界における段差は極小となり、段差がストランドの谷間に食い込むことにより発生する振動が抑制されている。
また、ガイド部材２２のワイヤロープ軸方向端部の内側面がワイヤロープ径方向外側に向けて広がるように形成されている。このため、ガイド部材２２がワイヤロープ２に対してエッジで接触することがなく、さらにワイヤロープ２の振動が抑制される。
【００３０】
実施の形態１のワイヤロープ探傷装置１は、エレベータ等の乗りかごを吊り下げるワイヤロープ２に対して使用される。ワイヤロープ探傷装置１の両端に配置されている２つのガイド部材２２のそれぞれの端部が外側に向けて広がるように形成されているため、ワイヤロープ２がどちらの方向に走行しても支障のない構造となっている。
【００３１】
また、ガイドユニット３０のガイド部材２２とベースユニット２０の支柱１６は位置決めピンにより位置決めされ、同軸度が確保されているので、ワイヤロープ２がガイドユニット３０の端部に強く押し付けられない。
【００３２】
ワイヤロープ探傷装置１をエレベータ等の乗りかごを吊り下げるワイヤロープ２に対して検査のために設置し、ワイヤロープ探傷検査を実施した結果、例えばガイドユニット３０のガイド部材２２が摩耗した場合、ガイドユニット３０のみをボルトを外して、ガイドユニット３０を消耗部品として交換することができる。
【００３３】
以上説明したように、実施の形態１のワイヤロープ探傷装置は、ワイヤロープに主磁路を形成する磁化器と、ワイヤロープ損傷部が発生する漏洩磁束を検出する磁気センサを備えるベースユニットと、ワイヤロープの外周に沿うようにＵ字形状に形成されたガイド部材とガイドプレートとを備えるガイドユニットとから構成される。さらに、ガイド部材のＵ字形状部上部は厚い部材で形成され、内側側面は外側に向かって広がるように形成されており、ガイドユニットはベースユニットにボルトで固定されている。したがって、実施の形態１のワイヤロープ探傷装置は、簡素な構成でワイヤロープの振動を抑制でき、容易に消耗部品を交換できる。
【００３４】
実施の形態１のワイヤロープ探傷装置は、簡素な構成であり、ガイドユニットはベースユニットにボルトで固定されているため、長寿命化および分解を容易化できる。
【００３５】
実施の形態２．
実施の形態２のワイヤロープ探傷装置は、ガイドプレートとガイド部材を溶接で固定したものである。
【００３６】
以下、実施の形態２に係るワイヤロープ探傷装置の構成、機能について、ワイヤロープ探傷装置のガイドユニットの斜視図である図１２に基づいて実施の形態１との差異を中心に説明する。
【００３７】
図１２において、ワイヤロープ探傷装置２０１は、ガイドユニット２３０とベースユニット（図示なし）とから構成される。ガイドユニット２３０は、ガイドプレート２２１とガイド部材２２２とから構成される。
ガイドプレート２２１とガイド部材２２２とは、溶接２４０で固定されている。
【００３８】
実施の形態１では、ガイドプレート２１とガイド部材２２を接着により固定したが、ガイドプレート２２１とガイド部材２２２を溶接２４０により固定しても実施の形態１のワイヤロープ探傷装置１と同様の効果を得ることができる。
この場合、ガイドプレート２２１とガイド部材２２２の固定強度が接着の場合と比較して高くなり、機械的剛性の高いワイヤロープ探傷装置２０１が得られる。
【００３９】
以上説明したように、実施の形態２のワイヤロープ探傷装置は、ガイドプレートとガイド部材を溶接で固定して、ガイドユニット２３０を構成したものである。したがって、実施の形態１のワイヤロープ探傷装置と同様に、簡素な構成でワイヤロープの振動を抑制でき、容易に消耗部品を交換できる。
また、実施の形態２のワイヤロープ探傷装置は、ガイドユニットの機械的剛性を高めることができる。
【００４０】
実施の形態３．
実施の形態３のワイヤロープ探傷装置は、ガイドプレートとガイド部材をボルトで固定したものである。
【００４１】
以下、実施の形態３に係るワイヤロープ探傷装置の構成、機能について、ワイヤロープ探傷装置のガイドユニットの斜視図である図１３に基づいて実施の形態１との差異を中心に説明する。
【００４２】
図１３において、ワイヤロープ探傷装置３０１は、ガイドユニット３３０とベースユニット（図示なし）とから構成される。ガイドユニット３３０は、ガイドプレート３２１とガイド部材３２２とから構成される。
ガイドプレート３２１とガイド部材３２２とは、ボルト３４０で固定されている。
【００４３】
実施の形態１では、ガイドプレート２１とガイド部材２２を接着により固定したが、ガイドプレート３２１とガイド部材３２２を、ボルト３４０により固定しても実施の形態１のワイヤロープ探傷装置１と同様の効果を得ることができる。
この場合、ガイドプレート３２１とガイド部材３２２の固定がボルトにより簡単に行われるため、ワイヤロープ探傷装置３０１の生産性を高めることができる。
また、ガイドプレート３２１とガイド部材３２２とを、ボルト３４０を外すことにより分離することができるので、例えば摩耗したガイド部材３２２のみを交換することができる。
【００４４】
以上説明したように、実施の形態３のワイヤロープ探傷装置は、ガイドプレートとガイド部材をボルトで固定したものである。したがって、実施の形態１のワイヤロープ探傷装置と同様に、簡素な構成でワイヤロープの振動を抑制でき、容易に消耗部品を交換できる。
また、実施の形態３のワイヤロープ探傷装置は、ガイドプレートとガイド部材の固定、取り外しが容易であるため、さらにワイヤロープ探傷装置の生産性を向上させ、分解を容易化できる。
【００４５】
なお、本発明は、その発明の範囲内において、各実施の形態を自由に組み合わせたり、実施の形態を適宜、変形、省略したりすることが可能である。
【産業上の利用可能性】
【００４６】
この発明は、簡素な構成でワイヤロープの振動を抑制でき、消耗部品の交換が容易なワイヤロープ探傷装置に関するものであり、ワイヤロープの検査装置に広く適用できる。
【図１】
2016174703.tif 000003
【図２】
2016174703.tif 000004
【図３】
2016174703.tif 000005
【図４】
2016174703.tif 000006
【図５】
2016174703.tif 000007
【図６】
2016174703.tif 000008
【図７】
2016174703.tif 000009
【図８】
2016174703.tif 000010
【図９】
2016174703.tif 000011
【図１０】
2016174703.tif 000012
【図１１】
2016174703.tif 000013
【図１２】
2016174703.tif 000014
【図１３】
2016174703.tif 000015
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
ワイヤロープの軸方向に主磁路を形成する磁化器によって磁化されるワイヤロープ損傷部が発生する漏洩磁束を検出する磁気センサを備えるベースユニットと、
前記ワイヤロープに対向する側において、前記ワイヤロープの外周に沿うようにＵ字形状に形成されたガイド部材とガイドプレートとを備え、前記ガイドプレートは前記磁化器および前記磁気センサの上部に配置され、前記ガイド部材は前記ガイドプレートに固定されワイヤロープ軸方向の両外側に張り出して配置されているガイドユニットと、を含んで構成され、
前記ガイドユニットは前記ベースユニットに取り外し可能な固定手段で固定されているワイヤロープ探傷装置。
【請求項２】
前記ガイド部材のＵ字形状部は前記ガイドプレートの板厚より厚い部材で形成されている請求項１に記載のワイヤロープ探傷装置。
【請求項３】
前記ガイド部材のワイヤロープ軸方向端部の内側面がワイヤロープ径方向外側に向けて広がるように形成されている請求項１または請求項２に記載のワイヤロープ探傷装置。
【請求項４】
前記ガイドユニットと前記ベースユニットとの固定部に位置決めピンと位置決め穴とを設けた請求項１から請求項３のいずれか１項に記載のワイヤロープ探傷装置。
【請求項５】
前記ガイドユニットと前記ベースユニットとの固定部に凹部と凸部とを設けて、嵌め込む構造とした請求項１から請求項３のいずれか１項に記載のワイヤロープ探傷装置。
【請求項６】
前記ベースユニットは、前記磁化器および前記磁気センサを備える主回路部と、前記主回路部の前記ワイヤロープの軸方向両側に配置された支柱とから成り、
前記支柱と前記主回路部に凹部と凸部とを設けて、嵌め込む構造とした請求項１から請求項５のいずれか１項に記載のワイヤロープ探傷装置。
【請求項７】
前記ガイドプレートと前記ガイド部材とは接着により固定されている請求項１から請求項６のいずれか１項に記載のワイヤロープ探傷装置。
【請求項８】
前記ガイドプレートと前記ガイド部材とは溶接により固定されている請求項１から請求項６のいずれか１項に記載のワイヤロープ探傷装置。
【請求項９】
前記ガイドプレートと前記ガイド部材とはボルトにより固定されている請求項１から請求項６のいずれか１項に記載のワイヤロープ探傷装置。
【請求項１０】
前記ガイド部材はカバー収納用段差を備え、前記カバー収納用段差の深さは、前記ガイドプレートの板厚よりも大きい請求項１から請求項９のいずれか１項に記載のワイヤロープ探傷装置。
【手続補正２】
【補正対象書類名】明細書
【補正対象項目名】０００６
【補正方法】変更
【補正の内容】
【０００６】
この発明に係るワイヤロープ探傷装置は、ワイヤロープの軸方向に主磁路を形成する磁化器によって磁化されるワイヤロープ損傷部が発生する漏洩磁束を検出する磁気センサを備えるベースユニットと、ワイヤロープに対向する側において、ワイヤロープの外周に沿うようにＵ字形状に形成されたガイド部材とガイドプレートとを備え、ガイドプレートは磁化器および磁気センサの上部に配置され、ガイド部材はガイドプレートに固定されワイヤロープ軸方向の両外側に張り出して配置されているガイドユニットと、を含んで構成され、ガイドユニットはベースユニットに取り外し可能な固定手段で固定されているものである。
【手続補正３】
【補正対象書類名】明細書
【補正対象項目名】０００７
【補正方法】変更
【補正の内容】
【０００７】
この発明に係るワイヤロープ探傷装置によれば、ガイド部材とガイドプレートはワイヤロープの外周に沿うようにＵ字形状に形成され、ガイドユニットはベースユニットに取り外し可能な固定手段で固定されているため、簡素な構成でワイヤロープの振動を抑制でき、消耗部品の交換を容易に行うことができる。
【国際調査報告】
2016174703.tif 000016
2016174703.tif 000017
2016174703.tif 000018
2016174703.tif 000019